(57)【要約】【課題】本発明は書く太さ調整可能なペンを開示した。【解決手段】筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されている；本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。【選択図】図１
2020147018.tif 000002
【特許請求の範囲】
【請求項１】
筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第二伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるヒストンと固定的に接続される推し棒がスライドできるように設置されており、前記推し棒と前記連接穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変えることを特徴とする書く太さ調整可能なペン。
【請求項２】
前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロック移動して前記補強スポンジを引っ張って形状変化させ、それにより筆跡太さを調節することを特徴とする請求項1に記載の書く太さ調整可能なペン。
【請求項３】
前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現することを特徴とする請求項1に記載の書く太さ調整可能なペン。
【請求項４】
前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間が前記ベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節することを特徴とする請求項1に記載の書く太さ調整可能なペン。
【発明の詳細な説明】
【技術分野】
【０００１】
本発明はペンの分野を取り上げて、具体的には書く太さ調整可能なペンである。
【背景技術】
【０００２】
人が書く時、特に技術創作する時、デサインによって筆跡の太さを変え、伝統的な方式では筆を交換する必要があり、面倒くさいだけじゃなく筆を買う費用が高く、そのため書く太さ調整可能なペンを設計して上記問題を解決する必要がある。
【先行技術文献】
【特許文献】
【０００３】
【特許文献１】中国特許出願公開第106274155号明細書
【発明の概要】
【発明が解決しようとする課題】
【０００４】
本発明の目的は書く太さ調整可能なペンを提供し、現有技術の上記欠点を克服し、設備の実用性を高める。
【課題を解決するための手段】
【０００５】
本発明の書く太さ調整可能なペンは、筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第二伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるヒストンと固定的に接続される推し棒がスライドできるように設置されており、前記推し棒と前記連接穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変える。
【０００６】
更なる技術方案、前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロック移動して前記補強スポンジを引っ張って形状変化させ、それにより筆跡太さを調節する。
【０００７】
更なる技術方案、前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現する。
【０００８】
更なる技術方案、前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間が前記ベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節する。
【発明の効果】
【０００９】
本発明の有益な効果は下記の通りである：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図1は本発明の書く太さ調整可能なペンの全体構成模式図であり；
【図２】図2は図1のAの拡大構成模式図であり；
【図３】図3は図1のB-Bの構成模式図であり；
【図４】図4は図1のC-Cの構成模式図である。
【発明を実施するための形態】
【００１２】
本発明の公開されるすべての特徴、或いは公開されるすべての方法或いは過程中の順次は互いに排斥する特徴と/或いは順序以外、全ての方式によって組み合わせる。
【００１３】
以下、図1-4について本発明を詳しく説明し、便利に叙述するように、現在は後文に出る方位を下記の通りに規定する：後文に出る上下左右前後方向は図1本体の投影関係の上下左右前後方向と一致する。
【００１４】
図1-4に示すように、本発明の書く太さ調整可能なペンは、筆管10と、前記筆管10の中に設置される第一伝動チャンバ46及び前記筆管10の左側端壁の中に設置される歯車チャンバ11を含み、前記第一伝動チャンバ46の中にはペン先調節装置200が設置されており、前記第一伝動チャンバ46の頂壁の中には第二伝動チャンバ52が設置されており、前記第二伝動チャンバ52の中には前記第一伝動チャンバ46を貫通するインク送出チューブ19が回転できるように設置されており、前記第二伝動チャンバ52の中の前記インク送出チューブ19の外表面には第一傘歯車50が固定的に設置され、前記第二伝動チャンバ52の中の前記インク送出チューブ19の外表面には第二傘歯車49が固定的に設置されており、前記第二伝動チャンバ52の左側端壁の中には第三伝動チャンバ43が設置されており、前記第三伝動チャンバ43の左側端壁の中には前記歯車チャンバ11に連通するベルトチャンバ15が設置されており、前記ベルトチャンバ15の中には制御装置300が設置されており、前記第二伝動チャンバ52の頂壁の中にはインク送出チャンバ56が設置されており、前記インク送出チャンバ56の中にはインク送出装置400が設置されており、前記インク送出チャンバ56の頂壁の中にはカムチャンバ35が設置されており、前記カムチャンバ35と前記インク送出チャンバ56の間には連通穴27が連通して設置されており、前記連通穴27の中には前記インク送出チャンバ56の中にスライドできるように設置されるヒストン26と固定的に接続される推し棒29がスライドできるように設置されており、前記推し棒29と前記連接穴27の端壁との間には戻し装置28が弾性に設置されており、前記インク送出チャンバ56の右側端壁の中にはインクストックチャンバ25が設置されており、前記インクストックチャンバ25と前記インク送出チャンバ56との間にはインク送出穴24が連通して設置されており、前記インク送出穴24の中には逆止弁23が設置されており、前記ペン先調節装置200と、制御装置300及びインク送出装置400は互いに係合し、筆跡の太さを変える。
【００１５】
有益なように、前記ペン先調節装置200は前記筆管10の左右前後端壁の中に対称的に設置される第一スライド穴48を含み、前記第一スライド穴48の中には第一スライド棒45がスライドできるように設置されており、前記第一スライド棒48の末端には固定ブロック17が固定的に設置されており、四つの前記固定ブロック17の間には補強スポンジ22が固定的に設置されており、前記補強スポンジ22の中にはチャンバ21が設置されており、前記インク送出チューブ19の底部の末端が前記チャンバ21の中に伸びており且つ前記インク送出チューブ19の底部の末端にはインク送出チューブ19の中に設置される抜き穴53に連通するするノズル20が固定的に設置されており、前記第一スライド棒45の中にはネジ山穴44が設置されており、前記ネジ山穴44の中にはネジ山ボルト57がねじ山によって係合して接続されており、前記ネジ山ボルト57の末端が前記第一伝動チャンバ46の中に伸びており且つ前記ネジ山ボルト57の末端には前記第二傘歯車49と噛み合う第三傘歯車47が固定的に設置されており、前記固定ブロック17移動して前記補強スポンジ22を引っ張って形状変化させ、それにより筆跡太さを調節する。
【００１６】
有益なように、前記インク送出装置400は前記カムチャンバ35の右側端壁の中に設置される第四伝動チャンバ34を含み、前記第四伝動チャンバ34と前記カムチャンバ35との間には第一回転軸31が回転できるように設置されており、前記第一回転軸33の右側末端と前記第四伝動チャンバ34の右側端壁の中に弾性的に設置される撥条32とが弾性的に接続されており、前記カムチャンバ35の中の前記第一回転軸31の末端にはカム30が固定的に設置されており、前記第四伝動チャンバ34の中の前記第一回転軸31の外表面には第一歯車33が固定的に設置されており、前記筆管10の底壁の中には前記第四伝動チャンバ34を貫通する第二スライド穴58が設置されており、前記第二スライド穴58の中には前記第一歯車33と噛み合うラック59がスライドできるように設置されており、前記カム30が回転して前記ピストン26を上下に移動連動させ、設備がインク送出を実現する。
【００１７】
有益なように、前記制御装置300は前記歯車チャンバ11の中に回転できるように設置される第二回転軸14を含み、前記歯車チャンバ11の左側端壁の中には外界に連通する通槽12が設置されており、前記第二回転軸14の外表面には回し輪13及び前記回し輪13の後側に位置する第一プーリ60が固定的に設置されており、前記ベルトチャンバ15の中にはウォーム39が回転できるように設置されており、前記ウォーム39の外表面には第二プーリ38が固定的に設置されており、前記第二プーリ38と前記第一プーリ60の間が前記ベルト16によって伝動できるように係合して接続されており、前記ベルトチャンバ15と前記第二伝動チャンバ52の間には前記第三伝動チャンバ43を貫通する第三回転軸41が回転できるように設置されており、前記ベルトチャンバ15の中の前記第三回転軸41の末端には前記ウォーム39と噛み合うウォームホイール40が固定的に設置されており、前記第二伝動チャンバ52の中の前記第三回転軸41の末端には前記第一傘歯車50と噛み合う第四傘歯車51が固定的に設置されており、前記第三伝動チャンバ43と前記インク送出チャンバ56との間には第四回転軸36が回転できるように設置されており、前記第三伝動チャンバ43の中の前記第四回転軸36の末端には前記第二歯車42と噛み合う第三歯車37が固定的に設置されており、前記インク送出チャンバ56の中の前記第四回転軸36の末端にはボールバルブ54が固定的に設置されており、前記ボールバルブの中には上下に貫通する弁口55が設置されており、前記回し輪13を回して前記補強スポンジ22を変形連動させ、同時に前記ボールバルブ54を回転連動させてインク送出量を調節する。
【００１８】
以下、付図1-4及び上記の本願発明の書く太さ調整可能なペンの具体的な構造を参考してその使い方を詳しく説明する：
【００１９】
本発明の設備を使って書く時、ラック59と紙面とが当接して上に移動して第一歯車33を回転連動させ、第一歯車33が回転してカム30を連動させて推し棒29を押ええて下へ移動させ、それによりピストン26を下へ移動連動させてインクをインク送出チューブ19の中の抜き穴53に詰め込み、そしてインクはノズル20を通じてチャンバ21の中に噴き入れ、この時補強スポンジ22がインクを吸い込み、書きやすく、書く太さを変える時回し輪13を回して第一プーリ60を回転連動させ、第二プーリ38を回転連動させ、ウォーム39を回転連動させ、ウォームホイール39を回転連動させ、第二歯車42及び第四傘歯車51を回転連動させ、第二歯車42が回転して第三歯車37を回転連動させ、ボールバルブ54を回転連動させ、これにより弁口55と抜き穴53との間の連通部分の大きさを変え、これによりインク送出量を調節し、同時に第四傘歯車51が回転して第一傘歯車50を回転連動させ、第一傘歯車50が回転して第二傘歯車49を回転連動させ、第三傘歯車47を回転連動させ、ネジ山ボルト57を回転連動させ、第一スライド棒45を連動させて第一スライド穴48から伸び出させ、それにより固定ブロック17を連動させて補強スポンジ22を引き動かし、これにより補強スポンジ22の離心率を減少させ、それにより補強スポンジ22と紙面との接触する面積を増えさせ、書く筆跡を太くする。
【００２０】
上記の詳しい分析によって：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020147018.tif 000003
【図２】
2020147018.tif 000004
【図３】
2020147018.tif 000005
【図４】
2020147018.tif 000006
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第一伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるピストンと固定的に接続される推し棒がスライドできるように設置されており、前記推し棒と前記連通穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変えることを特徴とする書く太さ調整可能なペン。
【請求項２】
前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロックを移動して前記補強スポンジを引っ張って形状変化させ、それにより筆跡太さを調節することを特徴とする請求項１に記載の書く太さ調整可能なペン。
【請求項３】
前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現することを特徴とする請求項１に記載の書く太さ調整可能なペン。
【請求項４】
前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間が前記ベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節することを特徴とする請求項２に記載の書く太さ調整可能なペン。
【手続補正２】
【補正対象書類名】明細書
【補正対象項目名】全文
【補正方法】変更
【補正の内容】
【発明の詳細な説明】
【技術分野】
【０００１】
本発明はペンの分野を取り上げて、具体的には書く太さ調整可能なペンである。
【背景技術】
【０００２】
人が書く時、特に技術創作する時、デサインによって筆跡の太さを変え、伝統的な方式では筆を交換する必要があり、面倒くさいだけじゃなく筆を買う費用が高く、そのため書く太さ調整可能なペンを設計して上記問題を解決する必要がある。
【先行技術文献】
【特許文献】
【０００３】
【特許文献１】中国特許出願公開第１０６２７４１５５号明細書
【発明の概要】
【発明が解決しようとする課題】
【０００４】
本発明の目的は書く太さ調整可能なペンを提供し、現有技術の上記欠点を克服し、設備の実用性を高める。
【課題を解決するための手段】
【０００５】
本発明の書く太さ調整可能なペンは、筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第一伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるピストンと固定的に接続される推し棒がスライドできるように設置されており、前記推し棒と前記連通穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変える。
【０００６】
更なる技術方案、前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロックを移動して前記補強スポンジを引っ張って形状変化させ、それにより筆跡太さを調節する。
【０００７】
更なる技術方案、前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現する。
【０００８】
更なる技術方案、前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間が前記ベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節する。
【発明の効果】
【０００９】
本発明の有益な効果は下記の通りである：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の書く太さ調整可能なペンの全体構成模式図であり；
【図２】図２は図１のＡの拡大構成模式図であり；
【図３】図３は図１のＢ−Ｂの構成模式図であり；
【図４】図４は図１のＣ−Ｃの構成模式図である。
【発明を実施するための形態】
【００１２】
本発明の公開されるすべての特徴、或いは公開されるすべての方法或いは過程中の順次は互いに排斥する特徴と／或いは順序以外、全ての方式によって組み合わせる。
【００１３】
以下、図１−４について本発明を詳しく説明し、便利に叙述するように、現在は後文に出る方位を下記の通りに規定する：後文に出る上下左右前後方向は図１本体の投影関係の上下左右前後方向と一致する。
【００１４】
図１−４に示すように、本発明の書く太さ調整可能なペンは、筆管１０と、前記筆管１０の中に設置される第一伝動チャンバ４６及び前記筆管１０の左側端壁の中に設置される歯車チャンバ１１を含み、前記第一伝動チャンバ４６の中にはペン先調節装置２００が設置されており、前記第一伝動チャンバ４６の頂壁の中には第二伝動チャンバ５２が設置されており、前記第二伝動チャンバ５２の中には前記第一伝動チャンバ４６を貫通するインク送出チューブ１９が回転できるように設置されており、前記第二伝動チャンバ５２の中の前記インク送出チューブ１９の外表面には第一傘歯車５０が固定的に設置され、前記第一伝動チャンバ５２の中の前記インク送出チューブ１９の外表面には第二傘歯車４９が固定的に設置されており、前記第二伝動チャンバ５２の左側端壁の中には第三伝動チャンバ４３が設置されており、前記第三伝動チャンバ４３の左側端壁の中には前記歯車チャンバ１１に連通するベルトチャンバ１５が設置されており、前記ベルトチャンバ１５の中には制御装置３００が設置されており、前記第二伝動チャンバ５２の頂壁の中にはインク送出チャンバ５６が設置されており、前記インク送出チャンバ５６の中にはインク送出装置４００が設置されており、前記インク送出チャンバ５６の頂壁の中にはカムチャンバ３５が設置されており、前記カムチャンバ３５と前記インク送出チャンバ５６の間には連通穴２７が連通して設置されており、前記連通穴２７の中には前記インク送出チャンバ５６の中にスライドできるように設置されるピストン２６と固定的に接続される推し棒２９がスライドできるように設置されており、前記推し棒２９と前記連通穴２７の端壁との間には戻し装置２８が弾性に設置されており、前記インク送出チャンバ５６の右側端壁の中にはインクストックチャンバ２５が設置されており、前記インクストックチャンバ２５と前記インク送出チャンバ５６との間にはインク送出穴２４が連通して設置されており、前記インク送出穴２４の中には逆止弁２３が設置されており、前記ペン先調節装置２００と、制御装置３００及びインク送出装置４００は互いに係合し、筆跡の太さを変える。
【００１５】
有益なように、前記ペン先調節装置２００は前記筆管１０の左右前後端壁の中に対称的に設置される第一スライド穴４８を含み、前記第一スライド穴４８の中には第一スライド棒４５がスライドできるように設置されており、前記第一スライド棒４８の末端には固定ブロック１７が固定的に設置されており、四つの前記固定ブロック１７の間には補強スポンジ２２が固定的に設置されており、前記補強スポンジ２２の中にはチャンバ２１が設置されており、前記インク送出チューブ１９の底部の末端が前記チャンバ２１の中に伸びており且つ前記インク送出チューブ１９の底部の末端にはインク送出チューブ１９の中に設置される抜き穴５３に連通するするノズル２０が固定的に設置されており、前記第一スライド棒４５の中にはネジ山穴４４が設置されており、前記ネジ山穴４４の中にはネジ山ボルト５７がねじ山によって係合して接続されており、前記ネジ山ボルト５７の末端が前記第一伝動チャンバ４６の中に伸びており且つ前記ネジ山ボルト５７の末端には前記第二傘歯車４９と噛み合う第三傘歯車４７が固定的に設置されており、前記固定ブロック１７移動して前記補強スポンジ２２を引っ張って形状変化させ、それにより筆跡太さを調節する。
【００１６】
有益なように、前記インク送出装置４００は前記カムチャンバ３５の右側端壁の中に設置される第四伝動チャンバ３４を含み、前記第四伝動チャンバ３４と前記カムチャンバ３５との間には第一回転軸３１が回転できるように設置されており、前記第一回転軸３３の右側末端と前記第四伝動チャンバ３４の右側端壁の中に弾性的に設置される撥条３２とが弾性的に接続されており、前記カムチャンバ３５の中の前記第一回転軸３１の末端にはカム３０が固定的に設置されており、前記第四伝動チャンバ３４の中の前記第一回転軸３１の外表面には第一歯車３３が固定的に設置されており、前記筆管１０の底壁の中には前記第四伝動チャンバ３４を貫通する第二スライド穴５８が設置されており、前記第二スライド穴５８の中には前記第一歯車３３と噛み合うラック５９がスライドできるように設置されており、前記カム３０が回転して前記ピストン２６を上下に移動連動させ、設備がインク送出を実現する。
【００１７】
有益なように、前記制御装置３００は前記歯車チャンバ１１の中に回転できるように設置される第二回転軸１４を含み、前記歯車チャンバ１１の左側端壁の中には外界に連通する通槽１２が設置されており、前記第二回転軸１４の外表面には回し輪１３及び前記回し輪１３の後側に位置する第一プーリ６０が固定的に設置されており、前記ベルトチャンバ１５の中にはウォーム３９が回転できるように設置されており、前記ウォーム３９の外表面には第二プーリ３８が固定的に設置されており、前記第二プーリ３８と前記第一プーリ６０の間が前記ベルト１６によって伝動できるように係合して接続されており、前記ベルトチャンバ１５と前記第二伝動チャンバ５２の間には前記第三伝動チャンバ４３を貫通する第三回転軸４１が回転できるように設置されており、前記ベルトチャンバ１５の中の前記第三回転軸４１の末端には前記ウォーム３９と噛み合うウォームホイール４０が固定的に設置されており、前記第二伝動チャンバ５２の中の前記第三回転軸４１の末端には前記第一傘歯車５０と噛み合う第四傘歯車５１が固定的に設置されており、前記第三伝動チャンバ４３と前記インク送出チャンバ５６との間には第四回転軸３６が回転できるように設置されており、前記第三伝動チャンバ４３の中の前記第四回転軸３６の末端には前記第二歯車４２と噛み合う第三歯車３７が固定的に設置されており、前記インク送出チャンバ５６の中の前記第四回転軸３６の末端にはボールバルブ５４が固定的に設置されており、前記ボールバルブの中には上下に貫通する弁口５５が設置されており、前記回し輪１３を回して前記補強スポンジ２２を変形連動させ、同時に前記ボールバルブ５４を回転連動させてインク送出量を調節する。
【００１８】
以下、付図１−４及び上記の本願発明の書く太さ調整可能なペンの具体的な構造を参考してその使い方を詳しく説明する：
【００１９】
本発明の設備を使って書く時、ラック５９と紙面とが当接して上に移動して第一歯車３３を回転連動させ、第一歯車３３が回転してカム３０を連動させて推し棒２９を押ええて下へ移動させ、それによりピストン２６を下へ移動連動させてインクをインク送出チューブ１９の中の抜き穴５３に詰め込み、そしてインクはノズル２０を通じてチャンバ２１の中に噴き入れ、この時補強スポンジ２２がインクを吸い込み、書きやすく、書く太さを変える時回し輪１３を回して第一プーリ６０を回転連動させ、第二プーリ３８を回転連動させ、ウォーム３９を回転連動させ、ウォームホイール３９を回転連動させ、第二歯車４２及び第四傘歯車５１を回転連動させ、第二歯車４２が回転して第三歯車３７を回転連動させ、ボールバルブ５４を回転連動させ、これにより弁口５５と抜き穴５３との間の連通部分の大きさを変え、これによりインク送出量を調節し、同時に第四傘歯車５１が回転して第一傘歯車５０を回転連動させ、第一傘歯車５０が回転して第二傘歯車４９を回転連動させ、第三傘歯車４７を回転連動させ、ネジ山ボルト５７を回転連動させ、第一スライド棒４５を連動させて第一スライド穴４８から伸び出させ、それにより固定ブロック１７を連動させて補強スポンジ２２を引き動かし、これにより補強スポンジ２２の離心率を減少させ、それにより補強スポンジ２２と紙面との接触する面積を増えさせ、書く筆跡を太くする。
【００２０】
上記の詳しい分析によって：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第一伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるピストンと固定的に接続される推し棒がスライドできるように設置されており、前記推し棒と前記連通穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変えることを特徴とする書く太さ調整可能なペン。
【請求項２】
前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロックを移動して前記補強スポンジを引っ張って形状変化させ、それにより筆跡太さを調節することを特徴とする請求項１に記載の書く太さ調整可能なペン。
【請求項３】
前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現することを特徴とする請求項１に記載の書く太さ調整可能なペン。
【請求項４】
前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間がベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第三伝動チャンバの中の前記第三回転軸の外表面に固定的に設置された第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節することを特徴とする請求項２に記載の書く太さ調整可能なペン。
【手続補正２】
【補正対象書類名】明細書
【補正対象項目名】全文
【補正方法】変更
【補正の内容】
【発明の詳細な説明】
【技術分野】
【０００１】
本発明はペンの分野を取り上げて、具体的には書く太さ調整可能なペンである。
【背景技術】
【０００２】
人が書く時、特に技術創作する時、デサインによって筆跡の太さを変え、伝統的な方式では筆を交換する必要があり、面倒くさいだけじゃなく筆を買う費用が高く、そのため書く太さ調整可能なペンを設計して上記問題を解決する必要がある。
【先行技術文献】
【特許文献】
【０００３】
【特許文献１】中国特許出願公開第１０６２７４１５５号明細書
【発明の概要】
【発明が解決しようとする課題】
【０００４】
本発明の目的は書く太さ調整可能なペンを提供し、現有技術の上記欠点を克服し、設備の実用性を高める。
【課題を解決するための手段】
【０００５】
本発明の書く太さ調整可能なペンは、筆管と、前記筆管の中に設置される第一伝動チャンバ及び前記筆管の左側端壁の中に設置される歯車チャンバを含み、前記第一伝動チャンバの中にはペン先調節装置が設置されており、前記第一伝動チャンバの頂壁の中には第二伝動チャンバが設置されており、前記第二伝動チャンバの中には前記第一伝動チャンバを貫通するインク送出チューブが回転できるように設置されており、前記第二伝動チャンバの中の前記インク送出チューブの外表面には第一傘歯車が固定的に設置され、前記第一伝動チャンバの中の前記インク送出チューブの外表面には第二傘歯車が固定的に設置されており、前記第二伝動チャンバの左側端壁の中には第三伝動チャンバが設置されており、前記第三伝動チャンバの左側端壁の中には前記歯車チャンバに連通するベルトチャンバが設置されており、前記ベルトチャンバの中には制御装置が設置されており、前記第二伝動チャンバの頂壁の中にはインク送出チャンバが設置されており、前記インク送出チャンバの中にはインク送出装置が設置されており、前記インク送出チャンバの頂壁の中にはカムチャンバが設置されており、前記カムチャンバと前記インク送出チャンバの間には連通穴が連通して設置されており、前記連通穴の中には前記インク送出チャンバの中にスライドできるように設置されるピストンと固定的に接続される推し棒がスライドできるように設置されており、前記推し棒と前記連通穴の端壁との間には戻し装置が弾性に設置されており、前記インク送出チャンバの右側端壁の中にはインクストックチャンバが設置されており、前記インクストックチャンバと前記インク送出チャンバとの間にはインク送出穴が連通して設置されており、前記インク送出穴の中には逆止弁が設置されており、前記ペン先調節装置と、制御装置及びインク送出装置は互いに係合し、筆跡の太さを変える。
【０００６】
更なる技術方案、前記ペン先調節装置は前記筆管の左右前後端壁の中に対称的に設置される第一スライド穴を含み、前記第一スライド穴の中には第一スライド棒がスライドできるように設置されており、前記第一スライド棒の末端には固定ブロックが固定的に設置されており、四つの前記固定ブロックの間には補強スポンジが固定的に設置されており、前記補強スポンジの中にはチャンバが設置されており、前記インク送出チューブの底部の末端が前記チャンバの中に伸びており且つ前記インク送出チューブの底部の末端にはインク送出チューブの中に設置される抜き穴に連通するするノズルが固定的に設置されており、前記第一スライド棒の中にはネジ山穴が設置されており、前記ネジ山穴の中にはネジ山ボルトがねじ山によって係合して接続されており、前記ネジ山ボルトの末端が前記第一伝動チャンバの中に伸びており且つ前記ネジ山ボルトの末端には前記第二傘歯車と噛み合う第三傘歯車が固定的に設置されており、前記固定ブロックを移動して前記補強スポンジを引っ張って形状変化させ、それにより筆跡太さを調節する。
【０００７】
更なる技術方案、前記インク送出装置は前記カムチャンバの右側端壁の中に設置される第四伝動チャンバを含み、前記第四伝動チャンバと前記カムチャンバとの間には第一回転軸が回転できるように設置されており、前記第一回転軸の右側末端と前記第四伝動チャンバの右側端壁の中に弾性的に設置される撥条とが弾性的に接続されており、前記カムチャンバの中の前記第一回転軸の末端にはカムが固定的に設置されており、前記第四伝動チャンバの中の前記第一回転軸の外表面には第一歯車が固定的に設置されており、前記筆管の底壁の中には前記第四伝動チャンバを貫通する第二スライド穴が設置されており、前記第二スライド穴の中には前記第一歯車と噛み合うラックがスライドできるように設置されており、前記カムが回転して前記ピストンを上下に移動連動させ、設備がインク送出を実現する。
【０００８】
更なる技術方案、前記制御装置は前記歯車チャンバの中に回転できるように設置される第二回転軸を含み、前記歯車チャンバの左側端壁の中には外界に連通する通槽が設置されており、前記第二回転軸の外表面には回し輪及び前記回し輪の後側に位置する第一プーリが固定的に設置されており、前記ベルトチャンバの中にはウォームが回転できるように設置されており、前記ウォームの外表面には第二プーリが固定的に設置されており、前記第二プーリと前記第一プーリの間がベルトによって伝動できるように係合して接続されており、前記ベルトチャンバと前記第二伝動チャンバの間には前記第三伝動チャンバを貫通する第三回転軸が回転できるように設置されており、前記ベルトチャンバの中の前記第三回転軸の末端には前記ウォームと噛み合うウォームホイールが固定的に設置されており、前記第二伝動チャンバの中の前記第三回転軸の末端には前記第一傘歯車と噛み合う第四傘歯車が固定的に設置されており、前記第三伝動チャンバと前記インク送出チャンバとの間には第四回転軸が回転できるように設置されており、前記第三伝動チャンバの中の前記第四回転軸の末端には前記第三伝動チャンバの中の前記第三回転軸の外表面に固定的に設置された第二歯車と噛み合う第三歯車が固定的に設置されており、前記インク送出チャンバの中の前記第四回転軸の末端にはボールバルブが固定的に設置されており、前記ボールバルブの中には上下に貫通する弁口が設置されており、前記回し輪を回して前記補強スポンジを変形連動させ、同時に前記ボールバルブを回転連動させてインク送出量を調節する。
【発明の効果】
【０００９】
本発明の有益な効果は下記の通りである：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の書く太さ調整可能なペンの全体構成模式図であり；
【図２】図２は図１のＡの拡大構成模式図であり；
【図３】図３は図１のＢ−Ｂの構成模式図であり；
【図４】図４は図１のＣ−Ｃの構成模式図である。
【発明を実施するための形態】
【００１２】
本発明の公開されるすべての特徴、或いは公開されるすべての方法或いは過程中の順次は互いに排斥する特徴と／或いは順序以外、全ての方式によって組み合わせる。
【００１３】
以下、図１−４について本発明を詳しく説明し、便利に叙述するように、現在は後文に出る方位を下記の通りに規定する：後文に出る上下左右前後方向は図１本体の投影関係の上下左右前後方向と一致する。
【００１４】
図１−４に示すように、本発明の書く太さ調整可能なペンは、筆管１０と、前記筆管１０の中に設置される第一伝動チャンバ４６及び前記筆管１０の左側端壁の中に設置される歯車チャンバ１１を含み、前記第一伝動チャンバ４６の中にはペン先調節装置２００が設置されており、前記第一伝動チャンバ４６の頂壁の中には第二伝動チャンバ５２が設置されており、前記第二伝動チャンバ５２の中には前記第一伝動チャンバ４６を貫通するインク送出チューブ１９が回転できるように設置されており、前記第二伝動チャンバ５２の中の前記インク送出チューブ１９の外表面には第一傘歯車５０が固定的に設置され、前記第一伝動チャンバ５２の中の前記インク送出チューブ１９の外表面には第二傘歯車４９が固定的に設置されており、前記第二伝動チャンバ５２の左側端壁の中には第三伝動チャンバ４３が設置されており、前記第三伝動チャンバ４３の左側端壁の中には前記歯車チャンバ１１に連通するベルトチャンバ１５が設置されており、前記ベルトチャンバ１５の中には制御装置３００が設置されており、前記第二伝動チャンバ５２の頂壁の中にはインク送出チャンバ５６が設置されており、前記インク送出チャンバ５６の中にはインク送出装置４００が設置されており、前記インク送出チャンバ５６の頂壁の中にはカムチャンバ３５が設置されており、前記カムチャンバ３５と前記インク送出チャンバ５６の間には連通穴２７が連通して設置されており、前記連通穴２７の中には前記インク送出チャンバ５６の中にスライドできるように設置されるピストン２６と固定的に接続される推し棒２９がスライドできるように設置されており、前記推し棒２９と前記連通穴２７の端壁との間には戻し装置２８が弾性に設置されており、前記インク送出チャンバ５６の右側端壁の中にはインクストックチャンバ２５が設置されており、前記インクストックチャンバ２５と前記インク送出チャンバ５６との間にはインク送出穴２４が連通して設置されており、前記インク送出穴２４の中には逆止弁２３が設置されており、前記ペン先調節装置２００と、制御装置３００及びインク送出装置４００は互いに係合し、筆跡の太さを変える。
【００１５】
有益なように、前記ペン先調節装置２００は前記筆管１０の左右前後端壁の中に対称的に設置される第一スライド穴４８を含み、前記第一スライド穴４８の中には第一スライド棒４５がスライドできるように設置されており、前記第一スライド棒４８の末端には固定ブロック１７が固定的に設置されており、四つの前記固定ブロック１７の間には補強スポンジ２２が固定的に設置されており、前記補強スポンジ２２の中にはチャンバ２１が設置されており、前記インク送出チューブ１９の底部の末端が前記チャンバ２１の中に伸びており且つ前記インク送出チューブ１９の底部の末端にはインク送出チューブ１９の中に設置される抜き穴５３に連通するするノズル２０が固定的に設置されており、前記第一スライド棒４５の中にはネジ山穴４４が設置されており、前記ネジ山穴４４の中にはネジ山ボルト５７がねじ山によって係合して接続されており、前記ネジ山ボルト５７の末端が前記第一伝動チャンバ４６の中に伸びており且つ前記ネジ山ボルト５７の末端には前記第二傘歯車４９と噛み合う第三傘歯車４７が固定的に設置されており、前記固定ブロック１７移動して前記補強スポンジ２２を引っ張って形状変化させ、それにより筆跡太さを調節する。
【００１６】
有益なように、前記インク送出装置４００は前記カムチャンバ３５の右側端壁の中に設置される第四伝動チャンバ３４を含み、前記第四伝動チャンバ３４と前記カムチャンバ３５との間には第一回転軸３１が回転できるように設置されており、前記第一回転軸３３の右側末端と前記第四伝動チャンバ３４の右側端壁の中に弾性的に設置される撥条３２とが弾性的に接続されており、前記カムチャンバ３５の中の前記第一回転軸３１の末端にはカム３０が固定的に設置されており、前記第四伝動チャンバ３４の中の前記第一回転軸３１の外表面には第一歯車３３が固定的に設置されており、前記筆管１０の底壁の中には前記第四伝動チャンバ３４を貫通する第二スライド穴５８が設置されており、前記第二スライド穴５８の中には前記第一歯車３３と噛み合うラック５９がスライドできるように設置されており、前記カム３０が回転して前記ピストン２６を上下に移動連動させ、設備がインク送出を実現する。
【００１７】
有益なように、前記制御装置３００は前記歯車チャンバ１１の中に回転できるように設置される第二回転軸１４を含み、前記歯車チャンバ１１の左側端壁の中には外界に連通する通槽１２が設置されており、前記第二回転軸１４の外表面には回し輪１３及び前記回し輪１３の後側に位置する第一プーリ６０が固定的に設置されており、前記ベルトチャンバ１５の中にはウォーム３９が回転できるように設置されており、前記ウォーム３９の外表面には第二プーリ３８が固定的に設置されており、前記第二プーリ３８と前記第一プーリ６０の間がベルト１６によって伝動できるように係合して接続されており、前記ベルトチャンバ１５と前記第二伝動チャンバ５２の間には前記第三伝動チャンバ４３を貫通する第三回転軸４１が回転できるように設置されており、前記ベルトチャンバ１５の中の前記第三回転軸４１の末端には前記ウォーム３９と噛み合うウォームホイール４０が固定的に設置されており、前記第二伝動チャンバ５２の中の前記第三回転軸４１の末端には前記第一傘歯車５０と噛み合う第四傘歯車５１が固定的に設置されており、前記第三伝動チャンバ４３と前記インク送出チャンバ５６との間には第四回転軸３６が回転できるように設置されており、前記第三伝動チャンバ４３の中の前記第四回転軸３６の末端には前記第三伝動チャンバ４３の中の前記第三回転軸４１の外表面に固定的に設置された第二歯車４２と噛み合う第三歯車３７が固定的に設置されており、前記インク送出チャンバ５６の中の前記第四回転軸３６の末端にはボールバルブ５４が固定的に設置されており、前記ボールバルブの中には上下に貫通する弁口５５が設置されており、前記回し輪１３を回して前記補強スポンジ２２を変形連動させ、同時に前記ボールバルブ５４を回転連動させてインク送出量を調節する。
【００１８】
以下、付図１−４及び上記の本願発明の書く太さ調整可能なペンの具体的な構造を参考してその使い方を詳しく説明する：
【００１９】
本発明の設備を使って書く時、ラック５９と紙面とが当接して上に移動して第一歯車３３を回転連動させ、第一歯車３３が回転してカム３０を連動させて推し棒２９を押ええて下へ移動させ、それによりピストン２６を下へ移動連動させてインクをインク送出チューブ１９の中の抜き穴５３に詰め込み、そしてインクはノズル２０を通じてチャンバ２１の中に噴き入れ、この時補強スポンジ２２がインクを吸い込み、書きやすく、書く太さを変える時回し輪１３を回して第一プーリ６０を回転連動させ、第二プーリ３８を回転連動させ、ウォーム３９を回転連動させ、ウォームホイール３９を回転連動させ、第二歯車４２及び第四傘歯車５１を回転連動させ、第二歯車４２が回転して第三歯車３７を回転連動させ、ボールバルブ５４を回転連動させ、これにより弁口５５と抜き穴５３との間の連通部分の大きさを変え、これによりインク送出量を調節し、同時に第四傘歯車５１が回転して第一傘歯車５０を回転連動させ、第一傘歯車５０が回転して第二傘歯車４９を回転連動させ、第三傘歯車４７を回転連動させ、ネジ山ボルト５７を回転連動させ、第一スライド棒４５を連動させて第一スライド穴４８から伸び出させ、それにより固定ブロック１７を連動させて補強スポンジ２２を引き動かし、これにより補強スポンジ２２の離心率を減少させ、それにより補強スポンジ２２と紙面との接触する面積を増えさせ、書く筆跡を太くする。
【００２０】
上記の詳しい分析によって：本発明の設備は手で回し輪を回して補強スポンジと紙面の接触面積を変え、同時にインク送出量を調節し、それにより書く筆跡の太さを調節でき、同時設備は書く時筆管と紙面の距離変化を利用してインクを送出し、設備書写を実現する。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。